(57)【要約】      （修正有） 【課題】飲料用アルミニュウムの空き缶部材を用いて、教育用教材として、児童・生徒が容易にかつ安価に製作できるポンポン蒸気船を提供する。【解決手段】ポンポン蒸気船は、アルミニュウム製の飲料缶を縦方向にほぼ２等分に切断し、その一方の部材を船型に加工した船体と、他方の部材の少なくとも一部を平板状に引き伸ばしてから折り曲げて、タンク部２および前記タンク部と連結された筒部１とが一体に加工されて構成されたエンジン１００とにより構成する。さらに、前記船体の後部に前記エンジンを斜め方向に固定してポンポン蒸気船とする。【選択図】図１
0003166655.tif 000002
【実用新案登録請求の範囲】
【請求項１】
飲料用アルミニュウム缶の空き缶部材を用いた船体（５）と、前記飲料用アルミニュウム缶の空き缶部材と同一の種類の空き缶部材から成る、ポンポン蒸気船のエンジン（１００）とで構成されることを特徴とするポンポン蒸気船。
【請求項２】
前記ポンポン蒸気船のエンジン（１００）は、前記アルミニュウム部材から成る筒部（１）と、タンク部（２）が、一体として構成されることを特徴とするポンポン蒸気船。
【考案の詳細な説明】
【技術分野】
【０００１】
本考案は、科学技術振興教育用教材に使用する、ポンポン蒸気船のエンジン（１００）と、ポンポン蒸気船に関するものである。
【背景技術】
【０００２】
ポンポン蒸気船は、ダイヤフラム式タンクもしくはコイル状のパイプからなる加熱部と、蒸気排出用管の構造からなるエンジンを有しており、ローソクや固形燃料などの炎で加熱されたダイヤフラム式タンクや、コイル内の水が水蒸気になると体積が増加するため、加熱部の水蒸気または、蒸気排出用管内の水が排出口より排出する時の力を利用して進む船である。すなわち、加熱部内に保持された水は、加熱されると沸騰して水蒸気となり、強い力で管の水を出口の方に押し出し、この時の作用で船は前進する。水蒸気が蒸気排出口から排出されると、加熱部の圧力が下がるので水が入ってくるか、または、加熱部より離れた冷たい管の方に行くので、そこで冷やされて水に戻り、体積が減少するため、圧力が急に下がり、出口の方へ押し出されていた水は逆に中へ引き戻される。引き戻された水が加熱されているところまで来ると、再び蒸発して体積が大きくなるので、水を出口の方に押し出す。こういう動作が繰り返されて、管の中では蒸気と水の境目が行ったり来たりする往復運動、通常自励振動と呼ばれる運動により船を前進させる構造として、蒸気排出用管を有するダイヤフラム式タンクや、パイプ式のもの、さらに押し出された水が蒸気排出用管に逆流しないよう、逆止弁や別に給水管を設けたものなどが考案されている。
【先行技術文献】
【非特許文献】
【０００３】
【非特許文献１】かがくを感じるあそび事典  94〜96頁、１９９６年１１月１０日  第一刷、山田卓三著、社団法人  農山漁村文化協会発行
【特許文献】
【０００４】
【特許文献１】特開２００５−２９１１９９
【考案の開示】
【考案が解決しようとする課題】
【０００５】
従来のエンジンであるダイヤフラム式タンクでは、タンクの製作やタンクと接続する管の接続にロウ付けや、ハンダ付けなどの高度な技術と技能が要求される問題があった。まして、逆止弁や別に給水管を設けるなどをするとさらに複雑になり、教育用工作教材には適していない。
【０００６】
パイプ式では、加熱部の容積を大きくするために、コイル状の構造をとる必要があるが、パイプをコイル状に加工するには高度な技術が必要であった。さらに、航続時間を増やすにはコイル部の容量を大きくしなければならなく、コイル部が嵩張ること、より高度な技術を要することなどの問題がある。また、コイル構造のためパイプ内に水を注入し難いうえ、蒸気排出口が２個あるので均等な蒸気排出が困難であり、船の進行の調整が困難であるなどの問題もあり、教育用教材としては不適なものであった。また、ガラスの試験官とガラス管を組み合わせた構造のものもあるが、ガラス管を切断したり曲げたりするには、高度な技術と技能が必要であると共に、ガラスは、割れやすいという問題があった。本考案はこれらの欠点を解決することを目的とするものである。
【課題を解決するための手段】
【０００７】
本考案は、前記の課題を解決するために、飲料用アルミニュウム缶の空き缶部材を用いた船体（５）と、前記飲料用アルミニュウム缶の空き缶部材と同一の種類の空き缶部材から成る、ポンポン蒸気船のエンジン（１００）とで構成されることを特徴とするポンポン蒸気船とした。また、前記ポンポン蒸気船のエンジン（１００）は、前記アルミニュウム部材から成る筒部（１）と、タンク部（２）が、一体として構成されることを特徴とするポンポン蒸気船とすることにより課題を解決した。
【考案の効果】
【０００８】
本考案のポンポン蒸気船用エンジン（１００）は、構造が簡単なこと、タンク部（２）と筒部（１）が連結され、一体となっているため、接合部での水漏れの恐れがないこと、蒸気排出口（３）が１箇所のため、蒸気の排出に左右の差がなく１方向に進行すること、製作に高度な技術、技能を要しなく、プライヤー、ペンチ、はさみなどの手工具で簡単に製作できることなどにより、科学技術振興教育用教材に使用するのに適している。
本考案を実施するに当たり、日常生活において、誰でも手軽に入手できる飲料用アルミニュームの空き缶を利用したり、数百度で焼きなましをおこなうことにより折り曲げ加工がさらに容易になり、児童、生徒が安価で容易に製作できる。
【実施例】
【０００９】
図１および図２、図３は、本考案のポンポン蒸気船のエンジン（１００）、図４はエンジン（１００）を搭載の船体の一実施例であり、図１は1枚の板からつくられたエンジン（１００）の平面図で、図２は、図１のＡ−Ａ線の断面図すなわち筒部（１）の断面を、図３は、図１のＢ−Ｂ線の断面図すなわちタンク部（２）の断面を示す、図１において、筒部（１）とタンク部（２）は、連結されて一体となり、1箇所の蒸気排出口（３）を有している、折り曲げ部（４）は、板の一方の端を折り返しをつけた他方の端に挟みこみ、圧着するか、重ねて圧着した構造である、折り曲げに先立ち、蒸気漏れを防ぐためコーキング剤を塗布しておくとより好ましい。
【００１０】
エンジン（１００）はエンジン固定バンド（８）により船体（５）に固定し、ろうそく置き台（７）に、取り付けた燃料のローソク（６）に点火した後、タンク（２）の下に挿入して水槽に浮かべる、図５は、本考案のエンジン（１００）を搭載したポンポン蒸気船の写真である、エンジン（１００）のタンク部（２）に水を注入し、飲料用アルミの空き缶でつくった船体（５）に搭載したのち、水槽に浮かべ、ローソク（６）でタンク部（２）を加熱するとよく走行した。
【図面の簡単な説明】
【００１１】
【図１】ポンポン蒸気船のエンジンの実施例を示す平面図
【図２】図１の筒部断面図
【図３】図１のタンク部断面図
【図４】ポンポン蒸気船の実施例を示す図
【図５】本考案のエンジンを搭載したポンポン蒸気船の写真
【符号の説明】
【００１２】
１  筒部 
２  タンク部
３  蒸気排出口
４  折り曲げ部
５  船体
６  ローソク
７  ローソク置き台
８  エンジン固定バンド
１００  ポンポン蒸気船のエンジン
【図１】
0003166655.tif 000003
【図２】
0003166655.tif 000004
【図３】
0003166655.tif 000005
【図４】
0003166655.tif 000006
【図５】
0003166655.tif 000007
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
アルミニュウム製の飲料缶を縦方向にほぼ２等分に切断し、その一方の部材を船型に加工した船体（５）と、
他方の部材の少なくとも一部を平板状に引き伸ばしてから折り曲げて、タンク部（２）および前記タンク部と連結された筒部（１）とが一体に加工されて構成されたエンジン（１００）とを含み、
前記船体の後部に前記エンジンを斜め方向に固定してなることを特徴とするポンポン蒸気船。
【請求項２】
前記アルミニュウム製の缶は飲料用の空き缶であることを特徴とする請求項１に記載のポンポン蒸気船。
【手続補正２】
【補正対象書類名】明細書
【補正対象項目名】全文
【補正方法】変更
【補正の内容】
【考案の詳細な説明】
【技術分野】
【０００１】
本考案は、科学技術振興教育用教材に使用する、ポンポン蒸気船、特にそのエンジン（１００）に関するものである。
【背景技術】
【０００２】
ポンポン蒸気船は、ダイヤフラム式タンクもしくはコイル状のパイプからなる加熱部と、蒸気排出用管の構造からなるエンジンを有しており、ローソクや固形燃料などの炎で加熱されたダイヤフラム式タンクや、コイル内の水が水蒸気になると体積が増加するため、加熱部の水蒸気または、蒸気排出用管内の水が排出口より排出する時の力を利用して進む船である。すなわち、加熱部内に保持された水は、加熱されると沸騰して水蒸気となり、強い力で管の水を出口の方に押し出し、この時の作用で船は前進する。水蒸気が蒸気排出口から排出されると、加熱部の圧力が下がるので水が入ってくるか、または、加熱部より離れた冷たい管の方に行くので、そこで冷やされて水に戻り、体積が減少するため、圧力が急に下がり、出口の方へ押し出されていた水は逆に中へ引き戻される。引き戻された水が加熱されているところまで来ると、再び蒸発して体積が大きくなるので、水を出口の方に押し出す。こういう動作が繰り返されて、管の中では蒸気と水の境目が行ったり来たりする往復運動、通常自励振動と呼ばれる運動により船を前進させる構造として、蒸気排出用管を有するダイヤフラム式タンクや、パイプ式のもの、さらに押し出された水が蒸気排出用管に逆流しないよう、逆止弁や別に給水管を設けたものなどが考案されている。
【先行技術文献】
【非特許文献】
【０００３】
【非特許文献１】かがくを感じるあそび事典  94〜96頁、１９９６年１１月１０日      第一刷、山田卓三著、社団法人  農山漁村文化協会発行
【特許文献】
【０００４】
【特許文献１】特開２００５−２９１１９９
【考案の開示】
【考案が解決しようとする課題】
【０００５】
従来のエンジンであるダイヤフラム式タンクでは、タンクの製作やタンクと接続する管の接続にロウ付けや、ハンダ付けなどの高度な技術と技能が要求される問題があった。まして、逆止弁や別に給水管を設けるなどをするとさらに複雑になり、教育用工作教材には適していない。
【０００６】
パイプ式では、加熱部の容積を大きくするために、コイル状の構造をとる必要があるが、パイプをコイル状に加工するには高度な技術が必要であった。さらに、航続時間を増やすにはコイル部の容量を大きくしなければならなく、コイル部が嵩張ること、より高度な技術を要することなどの問題がある。また、コイル構造のためパイプ内に水を注入し難いうえ、蒸気排出口が２個あるので均等な蒸気排出が困難であり、船の進行の調整が困難であるなどの問題もあり、教育用教材としては不適なものであった。また、ガラスの試験官とガラス管を組み合わせた構造のものもあるが、ガラス管を切断したり曲げたりするには、高度な技術と技能が必要であると共に、ガラスは、割れやすいという問題があった。本考案はこれらの欠点を解決することを目的とするものである。
【課題を解決するための手段】
【０００７】
本考案は、前記の課題を解決するために、アルミニュウム製の飲料缶を縦方向にほぼ２等分に切断し、その一方の部材を船型に加工した船体（５）と、他方の部材の少なくとも一部を平板状に引き伸ばしてから折り曲げて、タンク部（２）およびこのタンク部と連結された筒部（１）とが一体に加工されて構成されたエンジン（１００）とで構成されるようにすることで課題を解決した。なお、上記アルミニュウム製の缶は飲料用の空き缶を用いることが好ましい。
【考案の効果】
【０００８】
本考案のポンポン蒸気船に用いるエンジン（１００）は、空き缶を引き伸ばして折り曲げ加工し、タンク部（２）と筒部（１）とを一体に構成するため、構造が簡単であり、かつ接合部での水漏れの恐れがなく、さらに蒸気排出口（３）が１箇所のため、蒸気の排出に左右の差がなく１方向に進行させることができる。また、製作に高度な技術、技能を要しなく、プライヤー、ペンチ、はさみなどの手工具で簡単に製作できることなどにより、小学校低学年の子供たちを含めて科学技術振興教育用教材に使用するのに適している。
また、本考案を実施するに当たり、日常生活において、誰でも手軽に入手できる飲料用アルミニュームの空き缶を利用したり、数百度で焼きなましをおこなうことにより折り曲げ加工がさらに容易になり、児童、生徒が安価で容易に製作できる。
【実施例】
【０００９】
図１および図２、図３は、本考案のポンポン蒸気船のエンジン（１００）、図４はエンジ
ン（１００）を搭載の船体の一実施例であり、図１は1枚の板からつくられたエンジン（
１００）の平面図で、図２は、図１のＡ−Ａ線の断面図すなわち筒部（１）の断面を、図
３は、図１のＢ−Ｂ線の断面図すなわちタンク部（２）の断面を示す、図１において、筒
部（１）とタンク部（２）は、連結されて一体となり、1箇所の蒸気排出口（３）を有し
ている、折り曲げ部（４）は、板の一方の端を折り返しをつけた他方の端に挟みこみ、圧
着するか、重ねて圧着した構造である、折り曲げに先立ち、蒸気漏れを防ぐためコーキン
グ剤を塗布しておくとより好ましい。
【００１０】
図５に示すように、エンジン（１００）はエンジン固定バンド（８）により船体（５）に固定する。そして、ろうそく置
き台（７）に、取り付けた燃料のローソク（６）に点火した後、タンク（２）の下に挿入
して水槽に浮かべる、図５は、本考案のエンジン（１００）を搭載したポンポン蒸気船の
写真である、エンジン（１００）のタンク部（２）に水を注入し、飲料用アルミの空き缶
でつくった船体（５）に搭載したのち、水槽に浮かべ、ローソク（６）でタンク部（２）
を加熱するとよく走行した。
【図面の簡単な説明】
【００１１】
【図１】ポンポン蒸気船のエンジンの実施例を示す平面図
【図２】図１の筒部断面図
【図３】図１のタンク部断面図
【図４】ポンポン蒸気船の実施例を示す図
【図５】本考案のエンジンを搭載したポンポン蒸気船の写真
【符号の説明】
【００１２】
１  筒部
２  タンク部
３  蒸気排出口
４  折り曲げ部
５  船体
６  ローソク
７  ローソク置き台
８  エンジン固定バンド
１００  ポンポン蒸気船のエンジン